(57)【要約】【課題】    この発明は上記の点に鑑みてなされたものであり、異なるタイプの管理ユーティリティプログラムを同一リソース上で実行できるようにする。【解決手段】  クライアント装置１の制御部は、ＭＦＰ４から、クライアント装置１上のフレームワークで動作し、ＭＦＰ４のみに対して各種の設定の管理をする管理ユーティリティプログラムをダウンロードし（Ｓ１）、その管理ユーティリティプログラムを自装置のリソースで実行してピアツーピアモードに移行し、ＭＦＰ４に対して各種の設定を行う。また、サーバ装置２から、クライアント装置１上のフレームワークで動作し、各ＭＦＰ３，４に対してまとめて各種の設定の管理をする管理ユーティリティプログラムをダウンロードし（Ｓ２）、その管理ユーティリティプログラムを自装置のリソースで実行してユーティリティモードに移行し、各ＭＦＰ３，４，…に対して各種の設定をまとめて行う。【選択図】        図２
2008217136.tif 000002
【特許請求の範囲】
【請求項１】
端末装置と複数の画像処理装置とサーバ装置とからなるシステムであって、
前記各画像処理装置に、それぞれ当該画像処理装置のみを管理する管理ユーティリティプログラムが配置され、
前記サーバ装置に、前記各画像処理装置をまとめて管理する管理ユーティリティプログラムが配置され、
前記端末装置は、前記画像処理装置に配置されている管理ユーティリティプログラムを利用する場合、前記画像処理装置に配置されている管理ユーティリティプログラムを読み込んで実行し、前記管理ユーティリティプログラムの読み込み先の画像処理装置の管理処理を行い、前記サーバ装置に配置されている管理ユーティリティプログラムを利用する場合、前記サーバ装置に配置されている管理ユーティリティプログラムを読み込んで実行し、前記各画像処理装置に対してそれぞれ管理処理を行うことを特徴とするシステム。
【請求項２】
前記端末装置は、前記各画像処理装置の管理ユーティリティプログラムをそれぞれ新しいバージョンに変更する際、該変更対象の画像処理装置に対して新しいバージョンの管理ユーティリティプログラムを実行したときに問題が発生することがわかった場合、前記新しいバージョンの管理ユーティリティプログラムへの変更を行わないようにすることを特徴とする請求項１記載のシステム。
【請求項３】
前記サーバ装置は、前記各画像処理装置にそれぞれ対応する最新バージョンの管理ユーティリティプログラムを読み込んで保持することを特徴とする請求項１記載のシステム。
【請求項４】
前記端末装置は、前記画像処理装置から読み込んだ管理ユーティリティプログラムを実行し、前記管理ユーティリティプログラムの読み込み先の画像処理装置と共に追加管理対象として指定された他の画像処理装置に対しても同じ管理処理を行うことを特徴とする請求項１記載のシステム。
【請求項５】
前記端末装置は、前記画像処理装置から読み込んだ管理ユーティリティプログラムを実行し、前記管理ユーティリティプログラムの読み込み先の画像処理装置と共に追加管理対象として指定された他の画像処理装置に対しても同じ管理処理を行うと問題が発生することがわかった場合、前記読み込んだ管理ユーティリティプログラムの実行で行える機能の内で問題が発生しない機能のみを実行することを特徴とする請求項１記載のシステム。
【請求項６】
前記サーバ装置は、前記各画像処理装置にそれぞれ対応する最新バージョンの管理ユーティリティプログラムを読み込んで保持することを特徴とする請求項１記載のシステム。
【請求項７】
前記サーバ装置は、自装置に前記各画像処理装置にそれぞれ対応する管理ユーティリティプログラムのバージョンを保持していない場合、そのバージョンの管理ユーティリティプログラムを読み込んで保持することを特徴とする請求項１記載のシステム。
【請求項８】
前記端末装置は、前記サーバ装置から異なる複数のバージョンの管理ユーティリティプログラムを読み込んだ場合、一つのウィンドウの中でそれぞれのバージョンを独立して識別可能に表示することを特徴とする請求項１記載のシステム。
【請求項９】
前記端末装置は、前記各画像処理装置に対応する管理ユーティリティプログラムのバージョンを調べ、前記各画像処理装置に対応するバージョンの管理ユーティリティプログラムの全てを前記サーバ装置から読み込むことを特徴とする請求項１記載のシステム。
【請求項１０】
前記端末装置は、前記サーバ装置から読み込んだ異なる複数のバージョンの管理ユーリティプログラムで提供される機能に差異があった場合、全てに共通する機能とそれぞれのバージョンでしか実行できない機能とをそれぞれ識別可能に表示することを特徴とする請求項１，８，９のいずれか一項に記載のシステム。
【発明の詳細な説明】
【技術分野】
【０００１】
この発明は、パーソナルコンピュータを含む端末装置と、ファクシミリ装置と複写機とプリンタとを含む複数の画像処理装置と、その各画像処理装置を管理するサーバ装置とからなるシステムに関する。
【背景技術】
【０００２】
従来、プリンタの設定を含む管理を行う管理ユーティリティプログラムには、サーバ装置を設けなくても利用できるが管理台数が一台かつリソースが少ないプリンタ上で動くタイプのもの（例えば、特許文献１参照）と、複数台を同時に管理できるが別途サーバ装置を必要とするタイプのものがあった。
【特許文献１】特開２００６−２０１８６５号公報
【発明の開示】
【発明が解決しようとする課題】
【０００３】
しかしながら、従来の技術では、プリンタ上で動かすタイプの管理ユーティリティプログラムと、サーバ装置上で動かすタイプの管理ユーティリティプログラムとは、互いに別々のフレームワーク上で動く別々のバイナリであり、それぞれ別個に開発する必要があるという問題があった。
また、プリンタ上で動かすタイプの管理ユーティリティプログラムについては、プリンタの機種による違いを埋めるために、プリンタ毎に別バイナリにする必要があった。
この発明は上記の点に鑑みてなされたものであり、異なるタイプの管理ユーティリティプログラムを同一リソース上で実行できるようにすることを目的とする。
【課題を解決するための手段】
【０００４】
この発明は上記の目的を達成するため、次のシステムを提供する。
（１）端末装置と複数の画像処理装置とサーバ装置とからなるシステムであって、上記各画像処理装置に、それぞれ当該画像処理装置のみを管理する管理ユーティリティプログラムが配置され、上記サーバ装置に、上記各画像処理装置をまとめて管理する管理ユーティリティプログラムが配置され、上記端末装置は、上記画像処理装置に配置されている管理ユーティリティプログラムを利用する場合、上記画像処理装置に配置されている管理ユーティリティプログラムを読み込んで実行し、上記管理ユーティリティプログラムの読み込み先の画像処理装置の管理処理を行い、上記サーバ装置に配置されている管理ユーティリティプログラムを利用する場合、上記サーバ装置に配置されている管理ユーティリティプログラムを読み込んで実行し、上記各画像処理装置に対してそれぞれ管理処理を行うシステム。
【０００５】
（２）上記のようなシステムにおいて、上記端末装置は、上記各画像処理装置の管理ユーティリティプログラムをそれぞれ新しいバージョンに変更する際、その変更対象の画像処理装置に対して新しいバージョンの管理ユーティリティプログラムを実行したときに問題が発生することがわかった場合、上記新しいバージョンの管理ユーティリティプログラムへの変更を行わないようにするシステム。
（３）上記のようなシステムにおいて、上記サーバ装置は、上記各画像処理装置にそれぞれ対応する最新バージョンの管理ユーティリティプログラムを読み込んで保持するシステム。
（４）上記のようなシステムにおいて、上記端末装置は、上記画像処理装置から読み込んだ管理ユーティリティプログラムを実行し、上記管理ユーティリティプログラムの読み込み先の画像処理装置と共に追加管理対象として指定された他の画像処理装置に対しても同じ管理処理を行うシステム。
【０００６】
（５）上記のようなシステムにおいて、上記端末装置は、上記画像処理装置から読み込んだ管理ユーティリティプログラムを実行し、上記管理ユーティリティプログラムの読み込み先の画像処理装置と共に追加管理対象として指定された他の画像処理装置に対しても同じ管理処理を行うと問題が発生することがわかった場合、上記読み込んだ管理ユーティリティプログラムの実行で行える機能の内で問題が発生しない機能のみを実行するシステム。
（６）上記のようなシステムにおいて、上記サーバ装置は、上記各画像処理装置にそれぞれ対応する最新バージョンの管理ユーティリティプログラムを読み込んで保持するシステム。
（７）上記のようなシステムにおいて、上記サーバ装置は、自装置に上記各画像処理装置にそれぞれ対応する管理ユーティリティプログラムのバージョンを保持していない場合、そのバージョンの管理ユーティリティプログラムを読み込んで保持するシステム。
【０００７】
（８）上記のようなシステムにおいて、上記端末装置は、上記サーバ装置から異なる複数のバージョンの管理ユーティリティプログラムを読み込んだ場合、一つのウィンドウの中でそれぞれのバージョンを独立して識別可能に表示するシステム。
（９）上記のようなシステムにおいて、上記端末装置は、上記各画像処理装置に対応する管理ユーティリティプログラムのバージョンを調べ、上記各画像処理装置に対応するバージョンの管理ユーティリティプログラムの全てを上記サーバ装置から読み込むシステム。
（１０）上記のようなシステムにおいて、上記端末装置は、上記サーバ装置から読み込んだ異なる複数のバージョンの管理ユーリティプログラムで提供される機能に差異があった場合、全てに共通する機能とそれぞれのバージョンでしか実行できない機能とをそれぞれ識別可能に表示するシステム。
【発明の効果】
【０００８】
この発明によるシステムは、異なるタイプの管理ユーティリティプログラムを同一リソース上で実行することができる。
【発明を実施するための最良の形態】
【０００９】
以下、この発明を実施するための最良の形態を図面に基づいて具体的に説明する。
図１は、この発明の実施例１〜１０のシステム構成を示すブロック図である。
このシステムは、クライアント装置１と、サーバ装置２と、複数の複合機（ＭＦＰ）３，４（同図では２台のみ示し、他は図示を省略している）とがネットワーク５によって通信可能に接続されている。
上記クライアント装置１は、パーソナルコンピュータを含む情報処理装置の端末装置であり、ＣＰＵ，ＲＯＭ及びＲＡＭからなるマイクロコンピュータによって実現される制御部と、管理ユーティリティプログラムを含む各種の情報を記憶して保持する記憶部と、各種の情報を表示する表示部とを含む各部を有し、上記各ＭＦＰ３，４の管理を含む各種の処理を行う。
【００１０】
上記サーバ装置２は、コンピュータを含む情報処理装置のユーティリティＰＣであり、同じくＣＰＵ，ＲＯＭ及びＲＡＭからなるマイクロコンピュータによって実現される制御部と、管理ユーティリティプログラムを含む各種の情報を記憶して保持する記憶部とを含む各部を有し、各種の処理を行う。
上記各ＭＦＰ３，４は、画像処理装置であり、同じくＣＰＵ，ＲＯＭ及びＲＡＭからなるマイクロコンピュータによって実現される制御部と、管理ユーティリティプログラムを含む各種の情報を記憶して保持する記憶部と、原稿の情報を読み取るスキャナ部と、各種の情報を印刷する印刷部と、通信網を介して各種の情報を外部とやり取りする通信部とを含む各部を有し、クライアント装置１又はサーバ装置２からの指示に基づいて印刷や複写を含む各種の処理を行い、クライアント装置１による各種の設定の管理を受ける。なお、上記ＭＦＰ３，４に代えて、プリンタ，複写機を含む複数の画像処理装置にしてもよい。
ネットワーク５は、インターネット、イーサネット（登録商標）を含む通信網である。
【００１１】
〔実施例１〕
図２は、この発明の実施例１の動作説明に供するシステムのブロック図である。
このシステムでは、各ＭＦＰ３，４に、それぞれ当該装置のみに対して各種の設定の管理をする管理ユーティリティプログラムが配置されており、その管理ユーティリティプログラムは、クライアント装置１上のフレームワーク、例えば、マクロメディアのフラッシュ（Ｍａｃｒｏｍｅｄｉａ  Ｆｌａｓｈ（登録商標））で動作するプログラムである。
また、サーバ装置２に、各ＭＦＰ３，４に対してまとめて各種の設定の管理をする管理ユーティリティプログラムが配置されており、その管理ユーティリティプログラムは、上記と同じように、クライアント装置１上のフレームワーク、例えば、フラッシュで動作するプログラムである。
【００１２】
クライアント装置１の制御部は、図２に示すように、例えば、ＭＦＰ４の記憶部に配置（保持）されている管理ユーティリティプログラムを利用する場合には、ステップ（図中「Ｓ」で示す）１でＭＦＰ４から管理ユーティリティプログラムをダウンロードし（読み込み）、その管理ユーティリティプログラムを自装置のリソースで実行してピアツーピアモード（Ｐ２Ｐモード）に移行し、ＭＦＰ４に対して各種の設定を行う。
【００１３】
また、サーバ装置２の記憶部に配置（保持）されている管理ユーティリティプログラムを利用する場合には、ステップ２でサーバ装置２から管理ユーティリティプログラムをダウンロードし、その管理ユーティリティプログラムを自装置のリソースで実行してユーティリティモード（Ｕｔｉｌｉｔｙモード）に移行し、各ＭＦＰ３，４，…に対してそれぞれ各種の設定をまとめて行う。
このように、クライアント装置１のリソース上で実行されるフレームワークを利用した管理ユーティリティプログラムを作成し、クライアント装置１に、Ｐ２Ｐモードとユーティリティモードのいずれのモードの管理ユーティリティプログラムについても同一バイナリとして実装することにより、クライアント装置１がＰ２Ｐモード、ユーティリティモードのいずれのモードも自装置のリソース上で実行することができる。
【００１４】
〔実施例２〕
図３は、この発明の実施例２の動作説明に供するシステムのブロック図である。
このシステムでは、例えば、ＭＦＰ３は、バージョン（Ｖｅｒ．）１の管理ユーティリティプログラム（図中「管理ＵＰ」と略称する）を配置し、新しいバージョン２の管理ユーティリティプログラムの機能には未対応であり、ＭＦＰ４は、バージョン１の管理ユーティリティプログラムを配置し、新しいバージョン２の管理ユーティリティプログラムの機能に対応する場合で説明する。
【００１５】
クライアント装置１の制御部は、各ＭＦＰ３，４の管理ユーティリティプログラムをそれぞれ新しいバージョン２に変更する際、ステップ１０に示すように、ＭＦＰ３から取得した情報に基づいてバージョン２に対応するか否かを調べ、この場合、バージョン２に対応しないから、ＭＦＰ３に新しいバージョン２の管理ユーティリティプログラムを実行したときに問題が発生すると判断し、ＭＦＰ３への新しいバージョン２の管理ユーティリティプログラムへの変更を行わないようにする。
【００１６】
また、クライアント装置１の制御部は、ステップ１１に示すように、ＭＦＰ４から取得した情報に基づいてバージョン２に対応するか否かを調べ、この場合、バージョン２に対応するから、ＭＦＰ４に新しいバージョン２の管理ユーティリティプログラムを実行しても問題が発生しないと判断し、ＭＦＰ４への新しいバージョン２の管理ユーティリティプログラムへの変更、バージョンアップを行う。
このように、管理ユーティリティプログラムのバージョンを変更する場合、ＭＦＰの機種の違いに起因する機能差を判別し、実行する管理ユーティリティプログラムのバージョンが変わることで機能的に問題が発生することがわかった場合には、管理ユーティリティプログラムのバージョン変更を防ぐことができる。
【００１７】
〔実施例３〕
図４は、この発明の実施例３の動作説明に供するシステムのブロック図である。
このシステムでは、サーバ装置２の制御部が、各ＭＦＰ３，４にそれぞれ対応する最新バージョンの管理ユーティリティプログラムを全て読み込んで自装置の記憶部に保持する。例えば、ＭＦＰ３は、サーバ装置２に配置されたバージョン１の管理ユーティリティプログラムに対応し、新しいバージョン２の管理ユーティリティプログラムの機能には未対応であり、ＭＦＰ４は、バージョン１の管理ユーティリティプログラムと、新しいバージョン２の管理ユーティリティプログラムとの両方に対応する場合で説明する。
【００１８】
サーバ装置２の制御部は、図中にステップ２０で示すように、ＭＦＰ３からバージョン１の管理ユーティリティプログラムに対応し、バージョン２には未対応であることの情報を取得し、ステップ２１に示すように、ＭＦＰ４からバージョン１と２の管理ユーティリティプログラムに対応していることの情報を取得し、管理ユーティリティプログラムの管理対象となる各ＭＦＰ３，４に対してそれぞれが対応する最新のバージョンを自動で判別し、その判別された最新のバージョンの管理ユーティリティプログラムを、例えば、クライアント装置１や図示を省略したサーバ装置からそれぞれ読み込んで自装置の記憶部に記憶して保持する。
【００１９】
〔実施例４〕
図５は、この発明の実施例４の動作説明に供するシステムのブロック図である。
このシステムでは、クライアント装置１の制御部は、図５に示すように、ステップ３０でＭＦＰ４から管理ユーティリティプログラムを読み込んで実行し、ステップ３１でＭＦＰ４に対して各種の設定を行うと共に、ステップ３２で追加管理対象として指定されたＭＦＰ３に対しても同じ設定処理を行う。
ＭＦＰ４から読み込んだ管理ユーティリティプログラムを実行してＰ２Ｐモード起動した上で、追加管理対象となるＭＦＰ３を指定することにより、ＭＦＰ３，４に対してそれぞれ設定を行うので、そのまま簡易的なユーティリティモードとしての機能を実行することができる。
【００２０】
〔実施例５〕
図６は、この発明の実施例５の動作説明に供するシステムのブロック図である。
このシステムでは、クライアント装置１の制御部は、図６に示すように、ステップ４０でＭＦＰ４からバージョン２の管理ユーティリティプログラムを読み込んで実行し、ステップ４１でＭＦＰ４に対して各種の設定を行い、ステップ４２で追加管理対象として指定されたＭＦＰ３から取得した情報に基づいて対応している最新のバージョンについて判別し、この場合、ＭＦＰ３はバージョン２に未対応であることを判別し、バージョン２の管理ユーティリティプログラムを実行すると問題が発生すると判断し、バージョン２の管理ユーティリティプログラムの機能の内でバージョン１における問題が発生しない機能のみの設定をＭＦＰ３に実行する。
【００２１】
〔実施例６〕
図７は、この発明の実施例６の動作説明に供するシステムのブロック図である。
このシステムでは、例えば、サーバ装置２はバージョン１の管理ユーティリティプログラムを保持し、ＭＦＰ３は、バージョン１の管理ユーティリティプログラムに対応し、ＭＦＰ４は、新しいバージョン２の管理ユーティリティプログラムに対応している場合で説明する。
【００２２】
サーバ装置２の制御部は、ステップ５０，５１でそれぞれ各ＭＦＰ３，４が対応する管理ユーティリティプログラムの最新バージョンの情報を取得し、自装置に保持している管理ユーティリティプログラムのバージョンと、管理対象となる各ＭＦＰ３，４で対応する管理ユーティリティプログラムのバーションとを比較し、ＭＦＰ３，４が対応する管理ユーティリティプログラムの最新バージョンと自装置の管理ユーティリティプログラムのバーションが異なるか否かを判断し、ここでは、ＭＦＰ４が対応する管理ユーティリティプログラムのバージョン２と異なるので、自装置にＭＦＰ４に対応する管理ユーティリティプログラムのバージョン２をインストールしていないと判断し、例えば、クライアント装置１や図示を省略したサーバ装置からバージョン２の管理ユーティリティプログラムを読み込んで自装置の記憶部に記憶して保持する。
【００２３】
〔実施例７〕
図８は、この発明の実施例７の動作説明に供するシステムのブロック図である。
このシステムでは、例えば、サーバ装置２はバージョン２の管理ユーティリティプログラムを保持し、ＭＦＰ３は、バージョン１の管理ユーティリティプログラムに対応し、ＭＦＰ４は、新しいバージョン２の管理ユーティリティプログラムに対応している場合で説明する。
【００２４】
サーバ装置２の制御部は、ステップ６０，６１でそれぞれ各ＭＦＰ３，４が対応する管理ユーティリティプログラムのバージョンの情報を取得し、自装置に保持している管理ユーティリティプログラムのバージョンと、管理対象となる各ＭＦＰ３，４で対応する管理ユーティリティプログラムのバーションとを比較し、ＭＦＰ３，４が対応する管理ユーティリティプログラムのバージョンと自装置の管理ユーティリティプログラムのバーションが異なるか否かを判断し、ここでは、ＭＦＰ３が対応する管理ユーティリティプログラムのバージョン１と異なるので、自装置にＭＦＰ３に対応する管理ユーティリティプログラムのバージョン１をインストールしていないと判断し、例えば、クライアント装置１や図示を省略したサーバ装置からバージョン１の管理ユーティリティプログラムを読み込んで自装置の記憶部に記憶して保持する。
【００２５】
〔実施例８〕
図９は、この発明の実施例８の動作説明に供するシステムのブロック図である。
このシステムでは、クライアント装置１の制御部は、図９に示すように、ステップ７０でサーバ装置２から異なる複数のバージョンの管理ユーティリティプログラムを読み込んだ場合、表示部（ディスプレイ）の画面１０に、一つのウィンドウの中でそれぞれのバージョンを独立して識別可能に表示する。
【００２６】
〔実施例９〕
図１０は、この発明の実施例９の動作説明に供するシステムのブロック図である。
このシステムでは、例えば、サーバ装置２はバージョン１，２の管理ユーティリティプログラムを保持し、ＭＦＰ３は、バージョン１の管理ユーティリティプログラムに対応し、バージョン２には未対応であり、ＭＦＰ４は、バージョン１，２の管理ユーティリティプログラムに対応している場合で説明する。
【００２７】
このシステムでは、クライアント装置１の制御部は、ステップ８０，８１でそれぞれ各ＭＦＰ３，４から対応する管理ユーティリティプログラムのバージョンの情報を取得し、各ＭＦＰ３，４にそれぞれ対応する管理ユーティリティプログラムのバージョンを調べ、この場合、ＭＦＰ３はバージョン１に、ＭＦＰ４はバージョン２にそれぞれ対応しているから、ステップ８２で、サーバ装置２から各ＭＦＰ３，４にそれぞれ対応する全てのバージョン１，２の管理ユーティリティプログラムを読み込み、それらを選択して実行可能に保持する。
【００２８】
〔実施例１０〕
図１１は、この発明の実施例１０の動作説明に供するシステムのブロック図である。
このシステムでは、例えば、サーバ装置２はバージョン１，２の管理ユーティリティプログラムを保持し、ＭＦＰ３は、バージョン１の管理ユーティリティプログラムに対応し、バージョン２には未対応であり、ＭＦＰ４は、バージョン１，２の管理ユーティリティプログラムに対応している場合で説明する。
【００２９】
このシステムでは、クライアント装置１の制御部は、ステップ９０，９１でそれぞれ各ＭＦＰ３，４から対応する管理ユーティリティプログラムのバージョンの情報を取得し、各ＭＦＰ３，４にそれぞれ対応する管理ユーティリティプログラムのバージョンを調べる。この場合、ＭＦＰ３はバージョン１に、ＭＦＰ４はバージョン２にそれぞれ対応している。
【００３０】
そして、ステップ９２で、サーバ装置２から各ＭＦＰ３，４にそれぞれ対応する全てのバージョン１，２の管理ユーティリティプログラムを、すなわち、サーバ装置２から異なる複数のバージョンの管理ユーティリティプログラムを読み込むと、管理ユーティリティプログラムのバージョン１と２では、提供される機能に差異があるから、表示部の画面１０に、一つのウィンドウの中で、全てに共通する機能とそれぞれのバージョンでしか実行できない機能とをそれぞれ識別可能に表示し、それぞれのバージョンの管理ユーリティプログラムをそれぞれ独立に実行可能に保持する。
【００３１】
このシステムには下記のようなメリットがある。
管理ユーティリティプログラムがクライアント装置１のリソースで実行されるため、従来技術のようにＭＦＰ上で実行される場合に比べて、利用できるリソースが非常に大きくなる。
また、管理ユーティリティプログラムが実行されるフレームワークにも最新のものが利用できるようになる。これにより、今までリソースの制約で利用できなかった最新の技術を利用できるようになる。
Ｐ２Ｐモードとユーティリティモードで同一のバイナリが利用できるようになるため、開発時の設計、実装、テストにかかる工数を減らすことができる。
【００３２】
管理ユーティリティプログラム自体に、互換性問題を解消する仕組みを入れることで、インストーラが管理ユーティリティプログラムのバージョン問題を気にしなくて済むようになる。
システム内にある最新バージョンが自動的に反映されることにより、管理ユーティリティプログラムのバージョンアップにかかる手間を省くことができる。
ＭＦＰ毎の管理ユーティリティプログラムのバージョンの違いを吸収して実行することにより、ユーザの利便性が向上する。
【産業上の利用可能性】
【００３３】
この発明によるシステムは、パーソナルコンピュータを含む端末装置と、ファクシミリ装置と複写機とプリンタとを含む複数の画像処理装置と、その各画像処理装置を管理するサーバ装置とからなるシステム全般に適用することができる。
【図面の簡単な説明】
【００３４】
【図１】この発明の実施例１〜１０のシステム構成を示すブロック図である。
【図２】この発明の実施例１の動作説明に供するシステムのブロック図である。
【図３】この発明の実施例２の動作説明に供するシステムのブロック図である。
【図４】この発明の実施例３の動作説明に供するシステムのブロック図である。
【図５】この発明の実施例４の動作説明に供するシステムのブロック図である。
【００３５】
【図６】この発明の実施例５の動作説明に供するシステムのブロック図である。
【図７】この発明の実施例６の動作説明に供するシステムのブロック図である。
【図８】この発明の実施例７の動作説明に供するシステムのブロック図である。
【図９】この発明の実施例８の動作説明に供するシステムのブロック図である。
【図１０】この発明の実施例９の動作説明に供するシステムのブロック図である。
【図１１】この発明の実施例１０の動作説明に供するシステムのブロック図である。
【符号の説明】
【００３６】
１：クライアント装置    ２：サーバ装置    ３，４：ＭＦＰ    ５：ネットワーク
【図１】
2008217136.tif 000003
【図２】
2008217136.tif 000004
【図３】
2008217136.tif 000005
【図４】
2008217136.tif 000006
【図５】
2008217136.tif 000007
【図６】
2008217136.tif 000008
【図７】
2008217136.tif 000009
【図８】
2008217136.tif 000010
【図９】
2008217136.tif 000011
【図１０】
2008217136.tif 000012
【図１１】
2008217136.tif 000013